(57)【要約】【課題】複数の照明装置を一括で点灯させる動作と一括で消灯させる動作との両方を１つのボタンで手間なく行えるようにする。【解決手段】コントローラ１１の判断部５１は、照明グループ１内の全ての照明装置１３が点灯状態になってから照明グループ１内の全ての照明装置１３が消灯状態になるまでは照明グループ１が点灯状態であると判断し、照明グループ１内の全ての照明装置１３が消灯状態になってから照明グループ１内の全ての照明装置１３が点灯状態になるまでは照明グループ１が消灯状態であると判断する。コントローラ１１の制御部５２は、判断部５１が照明グループ１が消灯状態であると判断しているときに、壁スイッチのボタンが一定時間より短い時間押された場合は照明グループ１内の全ての照明装置１３を点灯状態に制御し、ボタンが一定時間以上押された場合は照明グループ１内の全ての照明装置１３を消灯状態に制御する。【選択図】図３
2014110222.tif 000002
【特許請求の範囲】
【請求項１】
点灯状態と消灯状態との切り換えが個別に行われる複数の照明装置で構成された照明グループに対応するボタンと、
前記照明グループ内の全ての照明装置が点灯状態になってから前記照明グループ内の全ての照明装置が消灯状態になるまでは前記照明グループが点灯状態であると判断し、前記照明グループ内の全ての照明装置が消灯状態になってから前記照明グループ内の全ての照明装置が点灯状態になるまでは前記照明グループが消灯状態であると判断する通常モニタモードで動作する判断部と、
前記判断部が前記通常モニタモードで前記照明グループが点灯状態であると判断しているときと消灯状態であると判断しているときとの少なくともいずれかのときに、前記ボタンが一定時間より短い時間押された場合は前記照明グループ内の全ての照明装置を点灯状態と消灯状態とのいずれか一方の状態に制御し、前記ボタンが一定時間以上押された場合は前記照明グループ内の全ての照明装置を他方の状態に制御する制御部と
を備えることを特徴とする照明制御システム。
【請求項２】
前記判断部は、前記通常モニタモードと、前記照明グループ内の少なくとも１つの照明装置が点灯状態になっていれば前記照明グループが点灯状態であると判断し、前記照明グループ内の全ての照明装置が消灯状態になっていれば前記照明グループが消灯状態であると判断する代表モニタモードとの切り換えを行って動作し、
前記制御部は、前記判断部が前記代表モニタモードで前記照明グループが点灯状態であると判断しているときに、前記ボタンが一定時間より短い時間押された場合は前記照明グループ内の全ての照明装置を点灯状態と消灯状態とのいずれか一方の状態に制御し、前記ボタンが一定時間以上押された場合は前記照明グループ内の全ての照明装置を他方の状態に制御することを特徴とする請求項１の照明制御システム。
【請求項３】
前記制御部は、前記判断部が前記通常モニタモードで前記照明グループが消灯状態であると判断しているときに、前記ボタンが一定時間より短い時間押された場合は前記照明グループ内の全ての照明装置を点灯状態に制御し、前記ボタンが一定時間以上押された場合は前記照明グループ内の全ての照明装置を消灯状態に制御することを特徴とする請求項１又は２の照明制御システム。
【請求項４】
前記制御部は、前記判断部が前記通常モニタモードで前記照明グループが点灯状態であると判断しているときに、前記ボタンが一定時間より短い時間押された場合は前記照明グループ内の全ての照明装置を消灯状態に制御し、前記ボタンが一定時間以上押された場合は前記照明グループ内の全ての照明装置を点灯状態に制御することを特徴とする請求項１から３のいずれかの照明制御システム。
【請求項５】
前記制御部は、前記判断部が前記通常モニタモードで前記照明グループが点灯状態であると判断しているときに、前記ボタンが押された場合は前記ボタンが押された時間の長さに関わらず前記照明グループ内の全ての照明装置を消灯状態に制御することを特徴とする請求項１から３のいずれかの照明制御システム。
【請求項６】
点灯状態と消灯状態との切り換えが個別に行われる複数の照明装置で構成された照明グループに対応するボタンと、
前記照明グループ内の少なくとも１つの照明装置が点灯状態になっていれば前記照明グループが点灯状態であると判断し、前記照明グループ内の全ての照明装置が消灯状態になっていれば前記照明グループが消灯状態であると判断する代表モニタモードで動作する判断部と、
前記判断部が前記代表モニタモードで前記照明グループが点灯状態であると判断しているときに、前記ボタンが一定時間より短い時間押された場合は前記照明グループ内の全ての照明装置を点灯状態と消灯状態とのいずれか一方の状態に制御し、前記ボタンが一定時間以上押された場合は前記照明グループ内の全ての照明装置を他方の状態に制御する制御部と
を備えることを特徴とする照明制御システム。
【請求項７】
前記制御部は、前記判断部が前記代表モニタモードで前記照明グループが点灯状態であると判断しているときに、前記ボタンが一定時間より短い時間押された場合は前記照明グループ内の全ての照明装置を消灯状態に制御し、前記ボタンが一定時間以上押された場合は前記照明グループ内の全ての照明装置を点灯状態に制御することを特徴とする請求項２又は６の照明制御システム。
【請求項８】
点灯状態と消灯状態との切り換えが個別に又は一括で行われる２つ以上の照明装置をそれぞれ含む複数のサブグループを、前記複数の照明装置として扱うことを特徴とする請求項１から７のいずれかの照明制御システム。
【発明の詳細な説明】
【技術分野】
【０００１】
本発明は、照明制御システムに関するものである。
【背景技術】
【０００２】
従来の照明制御システムでは、照明の消し忘れを防止することを目的として、中央制御装置によって制御される各グループを複数まとめて１ゾーン単位とし、ゾーン内で少なくとも１つの照明負荷が点灯している場合は、部屋の入口等に設けたゾーンスイッチを点灯状態として表示する。消し忘れによって表示がＯＮになっていればスイッチをＯＦＦにする（例えば、特許文献１参照）。
【先行技術文献】
【特許文献】
【０００３】
【特許文献１】特開２００５−１５８３２１号公報
【発明の概要】
【発明が解決しようとする課題】
【０００４】
従来の照明制御システムでは、ゾーンスイッチに、点灯／消灯表示とＯＮ／ＯＦＦスイッチを搭載している。通常は照明器具のグループスイッチとしては、１グループに対し、１つのトグルスイッチにてＯＮ／ＯＦＦするものを用いる。通常のグループスイッチの中の１個のチャンネルとして消し忘れ防止用のスイッチを実現しようとすると、一部のみ点灯状態でスイッチがＯＮになっている状態で、スイッチを操作して該当するゾーンを全て点灯状態にしたい場合でも、１回目の操作でゾーンが全て消灯してしまい、２回目の操作でようやくゾーン全てが点灯する動作になる。
【０００５】
このように、従来の照明制御システムでは、ゾーン内の一部の照明が点灯しているときに、ゾーン内の全ての照明を点灯状態にしたくても、１度全ての照明が消灯状態になること、スイッチを２回操作する手間がかかること等の課題がある。
【０００６】
本発明は、例えば、複数の照明装置を一括で点灯させる動作と一括で消灯させる動作との両方を１つのボタンで手間なく行えるようにすることを目的とする。
【課題を解決するための手段】
【０００７】
本発明の一の態様に係る照明制御システムは、
点灯状態と消灯状態との切り換えが個別に行われる複数の照明装置で構成された照明グループに対応するボタンと、
前記照明グループ内の全ての照明装置が点灯状態になってから前記照明グループ内の全ての照明装置が消灯状態になるまでは前記照明グループが点灯状態であると判断し、前記照明グループ内の全ての照明装置が消灯状態になってから前記照明グループ内の全ての照明装置が点灯状態になるまでは前記照明グループが消灯状態であると判断する通常モニタモードで動作する判断部と、
前記判断部が前記通常モニタモードで前記照明グループが点灯状態であると判断しているときと消灯状態であると判断しているときとの少なくともいずれかのときに、前記ボタンが一定時間より短い時間押された場合は前記照明グループ内の全ての照明装置を点灯状態と消灯状態とのいずれか一方の状態に制御し、前記ボタンが一定時間以上押された場合は前記照明グループ内の全ての照明装置を他方の状態に制御する制御部とを備える。
【発明の効果】
【０００８】
本発明の一の態様では、照明制御システムの制御部が、ボタンが一定時間より短い時間押された場合は照明グループ内の全ての照明装置を点灯状態と消灯状態とのいずれか一方の状態に制御し、ボタンが一定時間以上押された場合は照明グループ内の全ての照明装置を他方の状態に制御する。このため、本発明の一の態様によれば、複数の照明装置を一括で点灯させる動作と一括で消灯させる動作との両方を１つのボタンで手間なく行えるようになる。
【図面の簡単な説明】
【０００９】
【図１】実施の形態１に係る照明制御システムの構成を示すブロック図。
【図２】実施の形態１に係る一括制御用の壁スイッチの構造例を示す図。
【図３】実施の形態１に係るコントローラの構成を示すブロック図。
【図４】実施の形態１に係る照明制御システムの動作を示す図。
【図５】実施の形態１に係る照明制御システムの動作を示す図。
【図６】実施の形態１に係る照明制御システムの動作を示す図。
【図７】実施の形態２に係る照明制御システムの動作を示す図。
【図８】実施の形態３に係る照明制御システムの動作を示す図。
【図９】実施の形態４に係る照明制御システムの動作を示す図。
【図１０】実施の形態４に係る照明制御システムの動作を示す図。
【図１１】実施の形態４に係る照明制御システムの動作を示す図。
【図１２】実施の形態５に係る照明制御システムの動作を示す図。
【図１３】実施の形態６に係る照明制御システムの構成を示すブロック図。
【図１４】実施の形態７に係る照明制御システムの構成を示すブロック図。
【発明を実施するための形態】
【００１０】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る照明制御システム１０の構成を示すブロック図である。
【００１２】
図１において、照明制御システム１０は、コントローラ１１、通信ユニット１２、照明装置１３、人感センサ１４、照度センサ１５、壁スイッチ１６、ワイヤレスリモコン１７、設定装置１８を備える。
【００１３】
コントローラ１１は、照明制御装置の例であり、壁スイッチ１６の操作、人感センサ１４の検知状態、照度センサ１５によりモニタした照度値等に応じて、照明装置１３の点滅（点灯／消灯）、調光状態を制御する。
【００１４】
通信ユニット１２は、コントローラ１１と無線通信又は有線通信を行う。この通信を上位通信という。また、通信ユニット１２は、照明装置１３、人感センサ１４、照度センサ１５、壁スイッチ１６と信号線を介して２線式シリアル通信（双方向通信）を行う。この通信を下位通信という。通信ユニット１２は、上位通信と下位通信との間のゲートウェイ機能をもつ。具体的には、通信ユニット１２は、無線通信又は有線通信によりコントローラ１１から受信したデータ設定、モニタリング指示、照明制御（点灯、消灯、調光等）に係る信号を２線式有線シリアル信号に変換する機能をもち、それぞれの照明装置１３、人感センサ１４、照度センサ１５、壁スイッチ１６に予め整理番号となる個別アドレスを割り付けて、個別にデータ設定、モニタリング指示、照明制御を行う。
【００１５】
なお、コントローラ１１と通信ユニット１２とが一体になって、コントローラ１１が照明装置１３、人感センサ１４、照度センサ１５、壁スイッチ１６と直接通信するようにしてもよい。また、通信ユニット１２（あるいは通信ユニット１２と一体のコントローラ１１）と照明装置１３、人感センサ１４、照度センサ１５、壁スイッチ１６との間の通信は、有線シリアル通信以外の任意の通信方式で行ってもよい。
【００１６】
照明装置１３、人感センサ１４、照度センサ１５、壁スイッチ１６は、図１に示すように、１台の通信ユニット１２にそれぞれ１台の機器が接続されてもよいし、１台の通信ユニット１２に複数の機器（例えば、照明装置１３）が接続されてもよいし、１台の通信ユニット１２にその他の任意の組み合わせで接続されてもよい。即ち、照明制御システム１０の全体構成は、構築される照明システムの態様に応じて決められる。
【００１７】
照明装置１３は、ＬＥＤ、有機ＥＬ、蛍光灯、あるいは、その他の光源と、この光源を点灯させる点灯回路とを備えた器具である。照明装置１３は、コントローラ１１から通信ユニット１２を介して送信される信号（照明制御に係る信号）に応じて、光源を点灯又は消灯したり、光源の明るさ（出力）を変えたりする。
【００１８】
人感センサ１４は、コントローラ１１から通信ユニット１２を介して送信される信号（データ設定やモニタリング指示に係る信号）に応じて、周囲の特定エリア（検知エリア）内における人の在／不在を検知し、その結果を示す検知情報をコントローラ１１に通知する。
【００１９】
照度センサ１５は、コントローラ１１から通信ユニット１２を介して送信される信号（データ設定やモニタリング指示に係る信号）に応じて、周囲の特定エリア内における照度を測定し、その結果を示す照度情報をコントローラ１１に通知する。
【００２０】
壁スイッチ１６は、照明装置１３の光源の点灯制御（光源の点灯をオン、オフする制御）や調光制御のためにユーザによって操作される。壁スイッチ１６は、ユーザによって操作されると、その状態（例えば、オン、オフ）を示す操作情報をコントローラ１１に通知する。
【００２１】
ワイヤレスリモコン１７は、コントローラ１１や通信ユニット１２と無線通信を行い、ユーザの遠隔操作によって照明装置１３の光源の点灯制御や調光制御、コントローラ１１や通信ユニット１２を含む各機器の状態モニタやデータ設定を行う。
【００２２】
設定装置１８は、例えばパーソナルコンピュータであり、コントローラ１１や通信ユニット１２と無線通信又は有線通信を行い、画面から照明装置１３の光源の点灯制御や調光制御、コントローラ１１や通信ユニット１２を含む各機器の状態モニタやデータ設定を行う。
【００２３】
本実施の形態において、壁スイッチ１６には、照明装置１３ごとに点灯制御を行うためのもの（個別制御用の壁スイッチ１６）と、複数の照明装置１３で構成された照明グループごとに点灯制御を行うためのもの（一括制御用の壁スイッチ１６）がある。個別制御用の壁スイッチ１６は、例えば、照明装置１３ごとにボタンを備えており、ボタンが押下されると、対応する照明装置１３の点灯状態と消灯状態との切り換えがコントローラ１１により個別に行われる。一括制御用の壁スイッチ１６は、後述するように、照明グループごとにボタンを備えており、ボタンが押下されると、対応する照明グループ内の全ての照明装置１３の点灯状態と消灯状態との切り換えがコントローラ１１により一括で行われる。
【００２４】
図２は、一括制御用の壁スイッチ１６の構造例を示す図である。以下、単に壁スイッチ１６というときは、一括制御用の壁スイッチ１６を指すものとする。
【００２５】
図２において、壁スイッチ１６には、複数のチャンネル（ボタン）が搭載されており、各チャンネルに複数の照明装置１３をまとめたグループを割り付け、各グループの点灯、消灯状態によって、各チャンネルにも複数の色のＬＥＤを搭載して状態を表示する。例えば、各チャンネルに該当するグループの点灯状態を表すときは赤色ＬＥＤを点灯、消灯状態を表すときは緑色ＬＥＤを点灯させる等の方法がある。
【００２６】
本実施の形態では、照明グループ１〜４があるものとする。壁スイッチ１６には４個のボタン２１，２２，２３，２４があり、上から１ｃｈ、２ｃｈ、３ｃｈ、４ｃｈボタンとする。各ボタンの上部に表示用ＬＥＤランプを搭載し、左側に緑色ＬＥＤランプ３１，３２，３３，３４（１ｃｈ、２ｃｈ、３ｃｈ、４ｃｈ緑色ＬＥＤ）、右側に赤色ＬＥＤランプ４１，４２，４３，４４（１ｃｈ、２ｃｈ、３ｃｈ、４ｃｈ赤色ＬＥＤ）を備えている。各ｃｈに割り付けられたグループ番号の照明装置１３の点灯／消灯状態を表示用ＬＥＤランプで示し、消灯時は緑色、点灯時は赤色を点灯させる。
【００２７】
上記のように、壁スイッチ１６のボタン２１，２２，２３，２４は、点灯状態と消灯状態との切り換えが個別に行われる複数の照明装置１３で構成された照明グループ１〜４にそれぞれ対応する。
【００２８】
なお、照明制御システム１０は、ボタン２１，２２，２３，２４を壁スイッチ１６ではなく、他の機器あるいは他の箇所に備えていてもよい。ボタン２１，２２，２３，２４は、機械的なボタンでなくてもよく、画面に表示される電子的なボタンであってもよい。ボタンの数は、４個に限られるものではなく、照明グループの数に応じて適宜決められる。照明グループの数は、任意に決められる。各照明グループを構成する照明装置１３の数も、任意に決められる。
【００２９】
図３は、コントローラ１１の構成を示すブロック図である。
【００３０】
図３において、コントローラ１１は、判断部５１と制御部５２とを備える。
【００３１】
判断部５１は、照明グループ１内の全ての照明装置１３が点灯状態になってから照明グループ１内の全ての照明装置１３が消灯状態になるまでは照明グループ１が点灯状態であると判断し、照明グループ１内の全ての照明装置１３が消灯状態になってから照明グループ１内の全ての照明装置１３が点灯状態になるまでは照明グループ１が消灯状態であると判断する通常モニタモードで動作する。通常モニタモードにおいて、判断部５１は、照明グループ２〜４についても同様の判断を行う。
【００３２】
制御部５２は、判断部５１が通常モニタモードで照明グループ１が点灯状態であると判断しているときと消灯状態であると判断しているときとの少なくともいずれかのときに、壁スイッチ１６のボタン２１が一定時間より短い時間押された場合は照明グループ１内の全ての照明装置１３を点灯状態と消灯状態とのいずれか一方の状態に制御し、ボタン２１が一定時間以上押された場合（即ち、ボタン２１が長押しされた場合）は照明グループ１内の全ての照明装置１３を他方の状態に制御する。制御部５２は、照明グループ２〜４内の全ての照明装置１３についても、壁スイッチ１６のボタン２２，２３，２４が押された場合は同様の制御を行う。
【００３３】
図示していないが、コントローラ１１は、例えば、プログラムを実行するＣＰＵ等のプロセッサ、各種のデータや信号を記憶するメモリ（例えば、ＲＡＭ、ＲＯＭ、フラッシュメモリ）を備える。プロセッサは、バスを介してメモリと接続され、各部を制御する。判断部５１、制御部５２は、ＲＯＭに記憶されたファームウェアで実現されていても構わないし、あるいは、ソフトウェアのみ、あるいは、素子・デバイス・基板・配線等のハードウェアのみ、あるいは、ソフトウェアとハードウェアとの組み合わせ、さらには、ファームウェアとの組み合わせで実現されていても構わない。ファームウェアとソフトウェアは、プログラムとして、メモリに記憶される。このプログラムはプロセッサにより読み出され、プロセッサにより実行される。
【００３４】
なお、照明制御システム１０は、判断部５１と制御部５２とをコントローラ１１ではなく、他の機器（例えば、壁スイッチ１６）に備えていてもよい。照明制御システム１０は、判断部５１と制御部５２とを異なる機器（例えば、一方をコントローラ１１、他方を壁スイッチ１６）に分けて備えていてもよい。
【００３５】
図４、図５、図６は、照明制御システム１０の動作を示す図である。
【００３６】
図４は、Ａ〜Ｄの４台の照明装置１３をグループ１としてまとめ、そのグループ１を壁スイッチ１６のボタン２１に割り付けたときのＡ〜Ｄの照明装置１３の点滅状態（点灯状態と消灯状態とのいずれか）と、壁スイッチ１６の緑色ＬＥＤランプ３１及び赤色ＬＥＤランプ４１の状態表示を示している。Ａ〜Ｄの照明装置１３が全て消灯しているときは、壁スイッチ１６の表示は消灯状態（緑色ＬＥＤランプ３１が点灯、赤色ＬＥＤランプ４１が消灯）となり、その状態から、Ａの照明装置１３のみが（例えば、個別制御用の壁スイッチ１６の対応するボタンが押下されて）点灯した場合にも、壁スイッチ１６の表示は消灯状態となる。また、さらにＢ，Ｃの照明装置１３が（例えば、個別制御用の壁スイッチ１６の対応するボタンが押下されて）点灯した場合でも壁スイッチ１６の表示は消灯状態となる。さらにＤの照明装置１３が（例えば、個別制御用の壁スイッチ１６の対応するボタンが押下されて）点灯し、グループ１に含まれる全ての照明装置１３が点灯すると、壁スイッチ１６の表示は点灯状態（緑色ＬＥＤランプ３１が消灯、赤色ＬＥＤランプ４１が点灯）となる。
【００３７】
また、グループ１に含まれる全ての照明装置１３が点灯した状態から、Ｂ〜Ｄの照明装置１３が消灯した場合でも壁スイッチ１６の表示は点灯状態になるが、グループ１に含まれる全ての照明装置１３が消灯した場合には、壁スイッチ１６の表示が消灯状態となる。即ち、グループ内の全ての照明装置１３が点灯すれば、壁スイッチ１６の表示も点灯、グループ内の全ての照明装置１３が消灯すれば、壁スイッチ１６の表示も消灯となる。この動作を通常モニタモードとする。
【００３８】
上記のように、通常モニタモードにおいて、コントローラ１１の判断部５１は、照明グループ１内のＡ〜Ｄ全ての照明装置１３が点灯状態になってから照明グループ１内のＡ〜Ｄ全ての照明装置１３が消灯状態になるまでは照明グループ１が点灯状態であると判断し、照明グループ１内のＡ〜Ｄ全ての照明装置１３が消灯状態になってから照明グループ１内のＡ〜Ｄ全ての照明装置１３が点灯状態になるまでは照明グループ１が消灯状態であると判断する。判断部５１の判断結果は、壁スイッチ１６の緑色ＬＥＤランプ３１、赤色ＬＥＤランプ４１に反映される。
【００３９】
図５は、通常モニタモードに設定されているときに壁スイッチ１６のボタン２１が押下されたときの動作を示している。グループ１内の一部の照明装置１３のみが点灯している状態、かつ、壁スイッチ１６が消灯状態になっている場合は、壁スイッチ１６のボタン２１を押下すると、グループ１に含まれる全ての照明装置１３が点灯し、壁スイッチ１６の表示が点灯状態となる。また、グループ１内の一部の照明装置１３のみが点灯している状態、かつ、壁スイッチ１６の表示が点灯状態になっている場合は、壁スイッチ１６のボタン２１を押下すると、グループ１に含まれる全ての照明装置１３が消灯し、壁スイッチ１６の表示が消灯状態になる。
【００４０】
また、グループ１内の照明装置１３が全て消灯状態のときに壁スイッチ１６のボタン２１を押下すると、全ての照明装置１３が点灯し、グループ内の照明装置１３が全て点灯状態のときに壁スイッチ１６のボタン２１を押下すると、全ての照明装置１３が消灯する。
【００４１】
図５のように、グループ１内の一部の照明装置１３が点灯している状態で、壁スイッチ１６の表示は、点灯状態と消灯状態の２通りが存在するため、例えば、壁スイッチ１６のボタン２１を押下して全ての照明装置１３を消灯させたい場合でも、グループ１内の一部の照明装置１３が点灯状態、かつ、壁スイッチ１６が消灯の状態だと、壁スイッチ１６のボタン２１を一度押下することでグループ１内の全ての照明装置１３が点灯し、壁スイッチ１６のボタン２１を再度押下することで全ての照明装置１３が消灯する。グループ１内の照明装置１３の全てが一度点灯してから、２回目の押下で消灯になるため、使用者の望む動きとはならない場合がある。
【００４２】
図６は、通常モニタモードに設定されているときに壁スイッチ１６のボタン２１を一定時間以上長く押し続けた場合の動作を示している。グループ１内の一部の照明装置１３のみが点灯した状態、かつ、壁スイッチ１６の表示が消灯状態ならば、壁スイッチ１６のボタン２１をある一定時間以上押し続けることで、図５で示した壁スイッチ１６のボタン押下時とは異なり、グループ１内の全ての照明装置１３が消灯し、壁スイッチ１６の表示は変化なく消灯状態となる。壁スイッチ１６のボタン２１を押す時間は、例えば２秒間と設定する。ボタン２１を押下している時間の長さが２秒を下回る場合は、図５で示したように点灯状態になる。ボタン２１を押下している時間の長さが２秒以上の場合には、壁スイッチ１６から長時間ボタン２１が押下されたことを示す信号をコントローラ１１に発信することで、通常の２秒以内のボタン押下とは区別し、図６に示す通り全ての照明装置１３が消灯状態になる。
【００４３】
上記のように、コントローラ１１の制御部５２は、コントローラ１１の判断部５１が通常モニタモードで照明グループ１が消灯状態であると判断しているときに、壁スイッチ１６のボタン２１が一定時間より短い時間押された場合は照明グループ１内のＡ〜Ｄ全ての照明装置１３を点灯状態に制御し（図５参照）、ボタン２１が一定時間以上押された場合は照明グループ１内のＡ〜Ｄ全ての照明装置１３を消灯状態に制御する（図６参照）。判断部５１は、照明グループ１内のＡ〜Ｄ全ての照明装置１３が点灯状態になれば照明グループ１が点灯状態になったと判断し、照明グループ１内のＡ〜Ｄ全ての照明装置１３が消灯状態になれば照明グループ１が消灯状態になったと判断する。判断部５１の判断結果は、壁スイッチ１６の緑色ＬＥＤランプ３１、赤色ＬＥＤランプ４１に反映される。
【００４４】
本実施の形態によれば、通常モニタモードで照明グループが消灯状態のときに、その照明グループ内の複数の照明装置１３（例えば、照明グループ１内のＡ〜Ｄの照明装置１３）を一括で点灯させる動作と一括で消灯させる動作との両方を１つのボタン（例えば、壁スイッチ１６のボタン２１）で手間なく行えるようになる。
【００４５】
なお、本実施の形態において、ボタン押下とボタン長押しの動作を逆にしてもよい。即ち、コントローラ１１の制御部５２は、コントローラ１１の判断部５１が通常モニタモードで照明グループ１が消灯状態であると判断しているときに、壁スイッチ１６のボタン２１が一定時間より短い時間押された場合は照明グループ１内のＡ〜Ｄ全ての照明装置１３を消灯状態（図５では点灯状態）に制御し、ボタン２１が一定時間以上押された場合は照明グループ１内のＡ〜Ｄ全ての照明装置１３を点灯状態（図６では消灯状態）に制御してもよい。
【００４６】
実施の形態２．
本実施の形態について、主に実施の形態１との差異を説明する。
【００４７】
図７は、本実施の形態に係る照明制御システム１０の動作を示す図である。
【００４８】
図７は、通常モニタモードに設定され、グループ１内の照明装置１３の一部が点灯した状態、かつ、壁スイッチ１６が点灯状態になっているときに、壁スイッチ１６のボタン２１を一定時間以上長く押し続けた場合の動作を示している。本実施の形態では、グループ１内の一部の照明装置１３が点灯状態、かつ、壁スイッチ１６の表示が点灯状態のときに、壁スイッチ１６のボタン２１を一定時間以上長く押し続けることで、グループ１内の照明装置１３が全て点灯状態になり、壁スイッチ１６の表示は変化なく点灯状態のままとなる。
【００４９】
上記のように、コントローラ１１の制御部５２は、コントローラ１１の判断部５１が通常モニタモードで照明グループ１が点灯状態であると判断しているときに、壁スイッチ１６のボタン２１が一定時間より短い時間押された場合は照明グループ１内のＡ〜Ｄ全ての照明装置１３を消灯状態に制御し（図５参照）、ボタン２１が一定時間以上押された場合は照明グループ１内のＡ〜Ｄ全ての照明装置１３を点灯状態に制御する（図７参照）。判断部５１は、実施の形態１と同様に、照明グループ１内のＡ〜Ｄ全ての照明装置１３が消灯状態になれば照明グループ１が消灯状態になったと判断し、照明グループ１内のＡ〜Ｄ全ての照明装置１３が点灯状態になれば照明グループ１が点灯状態になったと判断する。判断部５１の判断結果は、壁スイッチ１６の緑色ＬＥＤランプ３１、赤色ＬＥＤランプ４１に反映される。
【００５０】
本実施の形態によれば、通常モニタモードで照明グループが点灯状態のときに、その照明グループ内の複数の照明装置１３（例えば、照明グループ１内のＡ〜Ｄの照明装置１３）を一括で点灯させる動作と一括で消灯させる動作との両方を１つのボタン（例えば、壁スイッチ１６のボタン２１）で手間なく行えるようになる。
【００５１】
なお、本実施の形態において、ボタン押下とボタン長押しの動作を逆にしてもよい。即ち、コントローラ１１の制御部５２は、コントローラ１１の判断部５１が通常モニタモードで照明グループ１が点灯状態であると判断しているときに、壁スイッチ１６のボタン２１が一定時間より短い時間押された場合は照明グループ１内のＡ〜Ｄ全ての照明装置１３を点灯状態（図５では消灯状態）に制御し、ボタン２１が一定時間以上押された場合は照明グループ１内のＡ〜Ｄ全ての照明装置１３を消灯状態（図７では点灯状態）に制御してもよい。
【００５２】
実施の形態３．
本実施の形態について、主に実施の形態１との差異を説明する。
【００５３】
図８は、本実施の形態に係る照明制御システム１０の動作を示す図である。
【００５４】
図８は、通常モニタモードに設定され、グループ１内の照明装置１３の一部が点灯した状態であれば、壁スイッチ１６の表示状態が点灯、消灯のどちらであっても、壁スイッチ１６のボタン２１を一定時間以上長く押し続けた場合には、必ずグループ１内の照明装置１３の全てが消灯状態となり、壁スイッチ１６の表示も消灯状態になることを示している。
【００５５】
上記のように、コントローラ１１の制御部５２は、コントローラ１１の判断部５１が通常モニタモードで照明グループ１が点灯状態であると判断しているときに、壁スイッチ１６のボタン２１が押された場合はボタン２１が押された時間の長さに関わらず照明グループ１内のＡ〜Ｄ全ての照明装置１３を消灯状態に制御する（図８参照）。判断部５１は、実施の形態１と同様に、照明グループ１内のＡ〜Ｄ全ての照明装置１３が消灯状態になれば照明グループ１が消灯状態になったと判断する。判断部５１の判断結果は、壁スイッチ１６の緑色ＬＥＤランプ３１、赤色ＬＥＤランプ４１に反映される。
【００５６】
本実施の形態によれば、通常モニタモードで照明グループが消灯状態のときには、その照明グループ内の複数の照明装置１３（例えば、照明グループ１内のＡ〜Ｄの照明装置１３）を一括で消灯させる動作を１つのボタン（例えば、壁スイッチ１６のボタン２１）で確実に行えるようになる。
【００５７】
実施の形態４．
本実施の形態について、主に実施の形態１との差異を説明する。
【００５８】
本実施の形態において、コントローラ１１の判断部５１は、照明グループ１内の少なくとも１つの照明装置１３が点灯状態になっていれば照明グループ１が点灯状態であると判断し、照明グループ１内の全ての照明装置１３が消灯状態になっていれば照明グループ１が消灯状態であると判断する代表モニタモードでも動作することができる。代表モニタモードにおいて、判断部５１は、照明グループ２〜４についても同様の判断を行う。判断部５１は、通常モニタモードと代表モニタモードとの切り換えを行って動作する。通常モニタモードと代表モニタモードとの切り換えは、例えば、ワイヤレスリモコン１７や設定装置１８により行われる。
【００５９】
コントローラ１１の制御部５２は、判断部５１が代表モニタモードで照明グループ１が点灯状態であると判断しているときに、壁スイッチ１６のボタン２１が一定時間より短い時間押された場合は照明グループ１内の全ての照明装置１３を点灯状態と消灯状態とのいずれか一方の状態に制御し、ボタン２１が一定時間以上押された場合（即ち、ボタン２１が長押しされた場合）は照明グループ１内の全ての照明装置１３を他方の状態に制御する。制御部５２は、照明グループ２〜４内の全ての照明装置１３についても、壁スイッチ１６のボタン２２，２３，２４が押された場合は同様の制御を行う。
【００６０】
図９、図１０、図１１は、本実施の形態に係る照明制御システム１０の動作を示す図である。
【００６１】
図９は、グループ１内の照明装置１３のうち、１台でも点灯している照明装置１３があれば、壁スイッチ１６の表示を点灯状態とするモードを示している。グループ１内の全ての照明装置１３が消灯になっている状態から、Ａの照明装置１３のみが（例えば、個別制御用の壁スイッチ１６の対応するボタンが押下されて）点灯することで、壁スイッチ１６の表示は点灯状態（緑色ＬＥＤランプ３１が消灯、赤色ＬＥＤランプ４１が点灯）になる。また、グループ１内の照明装置１３のうち、Ａの照明装置１３のみが点灯している状態から、全ての照明装置１３が消灯したときには、壁スイッチ１６の表示が消灯状態になる。即ち、グループ１内の全ての照明装置１３が消灯している状態以外は、壁スイッチ１６の表示は消灯状態（緑色ＬＥＤランプ３１が点灯、赤色ＬＥＤランプ４１が消灯）となる。この動作を代表モニタモードとする。
【００６２】
上記のように、代表モニタモードにおいて、コントローラ１１の判断部５１は、照明グループ１内の少なくとも１つの照明装置１３が点灯状態になっていれば照明グループ１が点灯状態であると判断し、照明グループ１内のＡ〜Ｄ全ての照明装置１３が消灯状態になっているときのみ照明グループ１が消灯状態であると判断する。判断部５１の判断結果は、壁スイッチ１６の緑色ＬＥＤランプ３１、赤色ＬＥＤランプ４１に反映される。
【００６３】
図１０は、代表モニタモードに設定されているときに、壁スイッチ１６のボタン２１が操作された場合の動作を示している。グループ１内の一部の照明装置１３が点灯している状態、かつ、壁スイッチ１６の表示が点灯状態のときに、壁スイッチ１６のボタン２１を押下すると、グループ１内の照明装置１３は全て消灯し、壁スイッチ１６の表示は消灯状態となる。また、グループ１内の照明装置１３が全て点灯しているときに壁スイッチ１６のボタン２１を押下すると、全ての照明装置１３が消灯状態となり、壁スイッチ１６の表示も消灯状態になる。また、全ての照明装置１３が消灯状態のときに、壁スイッチ１６のボタン２１を押下すると、全ての照明装置１３が点灯状態になり、壁スイッチ１６の表示は点灯状態になる。
【００６４】
図１１は、代表モニタモードに設定され、グループ１内の一部の照明装置１３が点灯しているときに、壁スイッチ１６のボタン２１を一定時間以上押下することで、全ての照明装置１３が点灯し、壁スイッチ１６の表示が点灯状態のままになることを示している。
【００６５】
上記のように、コントローラ１１の制御部５２は、コントローラ１１の判断部５１が代表モニタモードで照明グループ１が点灯状態であると判断しているときに、壁スイッチ１６のボタン２１が一定時間より短い時間押された場合は照明グループ１内のＡ〜Ｄ全ての照明装置１３を消灯状態に制御し（図１０参照）、ボタン２１が一定時間以上押された場合は照明グループ１内のＡ〜Ｄ全ての照明装置１３を点灯状態に制御する（図１１参照）。判断部５１は、照明グループ１内のＡ〜Ｄ全ての照明装置１３が消灯状態になれば照明グループ１が消灯状態になったと判断し、照明グループ１内のＡ〜Ｄ全ての照明装置１３が点灯状態になれば照明グループ１が点灯状態になったと判断する。判断部５１の判断結果は、壁スイッチ１６の緑色ＬＥＤランプ３１、赤色ＬＥＤランプ４１に反映される。
【００６６】
本実施の形態によれば、代表モニタモードで照明グループが点灯状態のときに、その照明グループ内の複数の照明装置１３（例えば、照明グループ１内のＡ〜Ｄの照明装置１３）を一括で点灯させる動作と一括で消灯させる動作との両方を１つのボタン（例えば、壁スイッチ１６のボタン２１）で手間なく行えるようになる。
【００６７】
本実施の形態では、照明制御システム１０が、消し忘れ防止に使用できる代表モニタモードと、該当する全ての照明が点灯したら点灯表示、全てが消灯したら消灯表示となる通常モニタモードを切替える機能を有し、それぞれのモードにおいて、スイッチの押下方法によって、所望の照明状態を得ることができる。
【００６８】
なお、本実施の形態において、ボタン押下とボタン長押しの動作を逆にしてもよい。即ち、コントローラ１１の制御部５２は、コントローラ１１の判断部５１が代表モニタモードで照明グループ１が点灯状態であると判断しているときに、壁スイッチ１６のボタン２１が一定時間より短い時間押された場合は照明グループ１内のＡ〜Ｄ全ての照明装置１３を点灯状態（図１０では消灯状態）に制御し、ボタン２１が一定時間以上押された場合は照明グループ１内のＡ〜Ｄ全ての照明装置１３を消灯状態（図１１では点灯状態）に制御してもよい。
【００６９】
実施の形態５．
本実施の形態について、主に実施の形態１〜４との差異を説明する。
【００７０】
図１２は、本実施の形態に係る照明制御システム１０の動作を示す図である。
【００７１】
本実施の形態では、点灯状態と消灯状態との切り換えが個別に又は一括で行われる２つ以上の照明装置１３をそれぞれ含む複数のサブグループ６１を、実施の形態１〜４における複数の照明装置１３として扱う。例えば、実施の形態１〜４におけるグループ１〜４は、本実施の形態におけるサブグループ６１に相当し、グループ１〜４をまとめた大グループ１が、本実施の形態における照明グループに相当する。
【００７２】
図１２は、大グループの動作を示している。２つ以上の照明装置１３をまとめたグループ１〜４に対して、さらにグループ１〜４をまとめた大グループ１を管理し、大グループ１内の複数のグループ（サブグループ６１）の点灯、消灯状態による壁スイッチ１６の表示状態や、壁スイッチ１６のボタン押下による動作について、実施の形態１〜４における照明装置１３とグループの関係と同様に動作させ、また同様に通常モニタモードと代表モニタモードを任意に選択して設定することができる。
【００７３】
上記のように、壁スイッチ１６のボタン２１，２２，２３，２４は、点灯状態と消灯状態との切り換えが個別に行われる複数のサブグループ６１で構成された照明グループ１〜４にそれぞれ対応する。
【００７４】
通常モニタモードにおいて、判断部５１は、照明グループ１内の全てのサブグループ６１が点灯状態になってから照明グループ１内の全てのサブグループ６１が消灯状態になるまでは照明グループ１が点灯状態であると判断し、照明グループ１内の全てのサブグループ６１が消灯状態になってから照明グループ１内の全てのサブグループ６１が点灯状態になるまでは照明グループ１が消灯状態であると判断する。
【００７５】
一方、代表モニタモードにおいて、判断部５１は、照明グループ１内の少なくとも１つのサブグループ６１が点灯状態になっていれば照明グループ１が点灯状態であると判断し、照明グループ１内の全てのサブグループ６１が消灯状態になっていれば照明グループ１が消灯状態であると判断する。
【００７６】
制御部５２は、判断部５１が通常モニタモードで照明グループ１が点灯状態であると判断しているときと消灯状態であると判断しているときとの少なくともいずれかのときに、壁スイッチ１６のボタン２１が一定時間より短い時間押された場合は照明グループ１内の全てのサブグループ６１を点灯状態と消灯状態とのいずれか一方の状態に制御し、ボタン２１が一定時間以上押された場合（即ち、ボタン２１が長押しされた場合）は照明グループ１内の全てのサブグループ６１を他方の状態に制御する。
【００７７】
一方、制御部５２は、判断部５１が代表モニタモードで照明グループ１が点灯状態であると判断しているときに、ボタン２１が一定時間より短い時間押された場合は照明グループ１内の全てのサブグループ６１を点灯状態と消灯状態とのいずれか一方の状態に制御し、ボタン２１が一定時間以上押された場合（即ち、ボタン２１が長押しされた場合）は照明グループ１内の全てのサブグループ６１を他方の状態に制御する。
【００７８】
本実施の形態によれば、複数のサブグループ６１（例えば、照明グループ１内のグループ１〜４）を一括で点灯させる動作と一括で消灯させる動作との両方を１つのボタン（例えば、壁スイッチ１６のボタン２１）で手間なく行えるようになる。
【００７９】
実施の形態６．
本実施の形態について、主に実施の形態１〜５との差異を説明する。
【００８０】
図１３は、本実施の形態に係る照明制御システム１０の構成を示すブロック図である。
【００８１】
図１３において、照明制御システム１０は、図１に示した実施の形態１の各機器のほか、上位システムを構成するゲートウェイ１９、中央管理装置２０を備える。図示していないが、本実施の形態において、照明制御システム１０は、コントローラ１１を複数備える。それぞれのコントローラ１１は、実施の形態１と同様に、通信ユニット１２より下位に位置する機器の設定、制御状態の管理を行う。
【００８２】
ゲートウェイ１９は、複数のコントローラ１１の上位側に有線接続され、それぞれのコントローラ１１と有線シリアル通信を行う。また、ゲートウェイ１９は、中央管理装置２０とローカルエリアネットワーク（例えば、Ｅｔｈｅｒｎｅｔ（登録商標））を介して接続され、中央管理装置２０とＬＡＮ通信を行う。即ち、ゲートウェイ１９は、有線シリアル通信とＬＡＮ通信との変換機能を有し、この機能によりデータの送受信を行う。
【００８３】
中央管理装置２０は、パーソナルコンピュータ等、画面（例えば、液晶画面）が備えられた装置である。ユーザは、中央管理装置２０を操作することにより、複数のコントローラ１１及びその下位の各機器を画面上で一括制御及び監視することができる。中央管理装置２０は、空調機器等、他の設備機器と連動することも可能である。
【００８４】
本実施の形態では、中央管理装置２０から各種設定を行うことができ、その設定値は、複数のコントローラ１１に送信される。
【００８５】
このように、本実施の形態では、実施の形態１と同様の通信シーケンスを利用し、さらに上位に構成されたシステムにおいて、操作画面による操作、状態モニタを行うことができ、実施の形態１〜５でワイヤレスリモコン１７や設定装置１８で実施していた各種設定を上位システムから実施することができる。
【００８６】
中央管理装置２０では、各照明装置１３（あるいは実施の形態５における各サブグループ６１）及び各グループ（あるいは実施の形態５における各大グループ）の点灯、消灯状態を表示させ、壁スイッチ１６の表示と同様に、壁スイッチ１６のボタン押下や照明装置１３の動作によって、状態が変化する。中央管理装置２０の状態表示も、実施の形態４における壁スイッチ１６と同様に、通常モニタモードと代表モニタモードを任意に選択することができてもよく、使用者の目的によって、中央管理装置２０のモニタ画面での表示と、壁スイッチ１６の表示のモードの組み合わせを任意に選択して設定することができる。
【００８７】
実施の形態７．
本実施の形態について、主に実施の形態６との差異を説明する。
【００８８】
図１４は、本実施の形態に係る照明制御システム１０の構成を示すブロック図である。
【００８９】
図１４において、照明制御システム１０は、図１３に示した実施の形態６と同様の機器を備えるが、コントローラ１１と通信ユニット１２とが一体になっている。
【００９０】
このように、通信ユニット１２の機能をコントローラ１１に搭載することで、コントローラ１１が各機器（照明装置１３、人感センサ１４、照度センサ１５、壁スイッチ１６）とデータの送受信を直接行うことができるようになる。
【００９１】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００９２】
１０  照明制御システム、１１  コントローラ、１２  通信ユニット、１３  照明装置、１４  人感センサ、１５  照度センサ、１６  壁スイッチ、１７  ワイヤレスリモコン、１８  設定装置、１９  ゲートウェイ、２０  中央管理装置、２１，２２，２３，２４  ボタン、３１，３２，３３，３４  緑色ＬＥＤランプ、４１，４２，４３，４４  赤色ＬＥＤランプ、５１  判断部、５２  制御部、６１  サブグループ。
【図１】
2014110222.tif 000003
【図２】
2014110222.tif 000004
【図３】
2014110222.tif 000005
【図４】
2014110222.tif 000006
【図５】
2014110222.tif 000007
【図６】
2014110222.tif 000008
【図７】
2014110222.tif 000009
【図８】
2014110222.tif 000010
【図９】
2014110222.tif 000011
【図１０】
2014110222.tif 000012
【図１１】
2014110222.tif 000013
【図１２】
2014110222.tif 000014
【図１３】
2014110222.tif 000015
【図１４】
2014110222.tif 000016